(57)【特許請求の範囲】
【請求項１】
圧縮機（１）のケーシング（２）から前記ケーシングの外側に突出するターミナル（３）の周囲に立設され、矩形の開口（３１）を有するターミナルガード（１０）と、
前記ターミナルガードの内側から前記開口に係合可能である爪部（６１）と、前記爪部が取り付けられており前記爪部が前記開口に係合したときに前記開口を遮蔽する遮蔽部（ＰＢ）と、前記爪部を挟むように前記爪部の近傍に配置され前記ターミナルガードへの嵌込方向に向かって延びるスリット部（６３）とを有するターミナルカバー（４０）と、
を備え、
前記爪部は、前記ターミナルガードへの嵌込方向と直交する壁である第１壁部（６４）と、前記第１壁部の幅方向の両端部から前記ターミナルガードへの嵌込方向に向かって延びる２つの壁であり、突出側の端面（Ｓｆ４）が第１壁部側から前記ターミナルガードへの嵌込方向へ向かうに従って遮蔽部側に向かって傾斜する第２壁部（６５ａ，６５ｂ）とを有し、
前記第１壁部は、前記ターミナルガードへの嵌込方向と直交する面である第２面（Ｓｆ１）を有し、
前記開口は、前記爪部の侵入側の面である第３面（Ｓｉ）が前記ターミナルガードへの嵌込方向と直交し、
前記第２面は、前記爪部が前記開口に係合された状態において前記第３面と接触する、
ターミナル保護構造。
【請求項２】
圧縮機（１）のケーシング（２）から前記ケーシングの外側に突出するターミナル（３）の周囲に立設され、矩形の開口（３１）を有するターミナルガード（１０）と、
前記ターミナルガードの内側から前記開口に係合可能である爪部（１６１）と、天壁部と、前記天壁部の縁から下方に延び外面に前記爪部が設けられ前記爪部が前記開口に係合したときに前記開口に隙間（Ｗ）が生じるように形成される囲い壁部と、前記囲い壁部の内側に設けられ前記爪部が前記開口に係合したときに前記爪部と前記ターミナルとの間に位置し前記開口の前記隙間から前記ターミナルに至る直線経路を遮蔽する遮蔽部（１５２，１５３）と、前記爪部を挟むように前記爪部の近傍に配置され前記ターミナルガードへの嵌込方向に向かって延びるスリット部（６３）とを有するターミナルカバー（１４０）と、
を備え、
前記爪部は、前記ターミナルガードへの嵌込方向と直交する壁である第１壁部（６４）と、前記第１壁部の幅方向の両端部から前記ターミナルガードへの嵌込方向に向かって延びる２つの壁であり、突出側の端面（Ｓｆ４）が第１壁部側から前記ターミナルガードへの嵌込方向へ向かうに従って遮蔽部側に向かって傾斜する第２壁部（６５ａ，６５ｂ）とを有し、
前記第１壁部は、前記ターミナルガードへの嵌込方向と直交する面である第２面（Ｓｆ１）を有し、
前記開口は、前記爪部の侵入側の面である第３面（Ｓｉ）が前記ターミナルガードへの嵌込方向と直交し、
前記第２面は、前記爪部が前記開口に係合された状態において前記第３面と接触する、
ターミナル保護構造。
【発明の詳細な説明】
【技術分野】
【０００１】
本発明は、圧縮機のケーシングから外側に突出するターミナルを保護するためのターミナル保護構造に関する。
【背景技術】
【０００２】
従来、圧縮機１のケーシング２の外側に突出するターミナル３（図１６参照）を保護するために、図２２および図２７に示されるようなターミナルガード９００及びターミナルカバー９５０が利用されてきた。
【０００３】
ターミナルガード９００は、図２２〜図２６に示されるように、主に、ターミナル３を挿通するための第１開口９１１を有しケーシング２の形状に沿った形状を呈する底部９１０と、底部９１０の縁から立設される第１囲い壁部９２０とから形成される金属製のガードである。ここで、第１囲い壁部９２０は、第１前壁部９２１、第１後壁部９２４、第１左壁部９２２、および第１右壁部９２３の４つの壁部を有している。そして、第１左壁部９２２および第１右壁部９２３には、それぞれ、ターミナルカバー９５０の爪部（後述）を係合するための円形の第２開口９３１が設けられている。また、第１前壁部９２１には、ターミナル３のターミナルピン４と接続されるリード線（図示せず）をターミナルガード９００の外側に導き出すための第１リード線通し口９３２が設けられている。
【０００４】
ターミナルカバー９５０は、図２７〜図３２に示されるように、主に、略方形の天壁部９６０と、天壁部９６０の縁から下方に延びる第２囲い壁部９７０とから形成される略升形の樹脂製カバーであって、先に説明したターミナルガード９００の内側に嵌め込まれる。ここで、第２囲い壁部９７０は、第２前壁部９７１、第２後壁部９７４、第２左壁部９７２、および第２右壁部９７３の４つの壁部を有している。そして、第２左壁部９７２および第２右壁部９７３には、それぞれ、幅方向のほぼ中央に、高さ方向のほぼ中央から下端に向かって延びる爪部９８１が設けられている。そして、この爪部９８１は、第２左壁部９７２および第２右壁部９７３の外側に突出しており、ターミナルガード９００の第２開口９３１とターミナルガード９００の内側から係合する。また、第２前壁部９７１には、ターミナル３のターミナルピン４と接続されるリード線をターミナルカバー９５０から導き出すための第２リード線通し口９８２が設けられている。
【０００５】
そして、このターミナルカバー９５０の爪部９８１がターミナルガード９００の第２開口９３１に係合されると、図３３および図３４に示されるようなターミナル保護体が形成される。このターミナル保護体では、図３３から明らかなように、ターミナルガード９００の第２開口９３１の上部のほとんどがターミナルカバー９５０の第２左壁部９７２または第２右壁部９７３により遮蔽されるが、第２開口９３１の下部には若干の隙間Ｗが生じる。
【特許文献１】特開２００４−２９３５３９号公報
【発明の開示】
【発明が解決しようとする課題】
【０００６】
ところで、このようなターミナルカバー９５０をターミナルガード９００から取り外そうとする場合、多くの作業者などは、隙間Ｗに取り外し用ジグ（例えば、マイナスドライバー等）を差し込んでターミナルカバー９５０に対してターミナルカバーのターミナルガードへの嵌込方向と反対の方向に力を加えたり、取り外しジグを爪部９８１に当てて爪部９８１を引っ込めようとするが、このとき、その作業者などは勢い余って取り外しジグをターミナルに当ててしまい、ターミナルを破損してしまうことがあった。
【０００７】
本発明の課題は、ターミナルカバーの取り外し作業者がターミナルを破損することなく無事に取り外すことができるターミナルカバーおよびターミナル保護構造を提供することにある。
【課題を解決するための手段】
【０００８】
第１発明に係るターミナル保護構造は、ターミナルガード及びターミナルカバーを備える。ターミナルガードは、圧縮機のケーシングからケーシングの外側に突出するターミナルの周囲に立設される。そして、このターミナルガードは、矩形の開口を有している。ターミナルカバーは、爪部、遮蔽部及びスリット部を有する。爪部は、ターミナルガードの内側から開口に係合可能である。遮蔽部には、爪部が取り付けられている。そして、この遮蔽部は、爪部が開口に係合したときに開口を遮蔽する。スリット部は、爪部を挟むように爪部の近傍に配置されている。そして、このスリット部は、ターミナルガードへの嵌込方向に向かって延びる。また、爪部は、第１壁部及び第２壁部を有する。第１壁部は、ターミナルガードへの嵌込方向と直交する壁である。第２壁部は、第１壁部の幅方向の両端部からターミナルガードへの嵌込方向に向かって延びる２つの壁である。そして、この第２壁部は、突出側の端面が第１壁部側からターミナルガードへの嵌込方向へ向かうに従って遮蔽部側に向かって傾斜する。また、第１壁部は、ターミナルガードへの嵌込方向と直交する面である第２面を有する。また、開口は、爪部の侵入側の面である第３面がターミナルガードへの嵌込方向と直交する。そして、爪部が開口に係合された状態において第２面は第３面と接触する。
【０００９】
このターミナル保護構造では、爪部が開口に係合したときに、遮蔽部が開口を遮蔽する。このため、このターミナル保護構造では、取り外し作業者がターミナルを破損することなくターミナルガードからターミナルカバーを取り外すことができる。また、このターミナル保護構造では、ターミナルカバーの爪部が、第１壁部を有し、ターミナルガードの内側から開口に係合する。このため、このターミナル保護構造では、取り外し作業者は、反嵌込方向（引き抜き方向）に力が加わるように第１壁部に取り外し用ジグを当てれば、従来よりも小さい力でターミナルカバーをターミナルガードから引き抜くことができる。また、このターミナル保護構造では、このターミナルカバーの爪部が、第２壁部を有する。このため、このターミナル保護構造では、取り外し作業者がターミナルカバーをターミナルガードから反嵌込方向（引き抜き方向）に引き抜くときにおいて、ターミナルガードへの嵌込方向および壁（第１壁部および第２壁部）の突出方向の両方向に直交する方向に取り外し用ジグがずれるのを防止することができる。したがって、このターミナル保護構造では、取り外し作業者はターミナルカバーをターミナルガードからより容易に引き抜くことができる。また、このターミナル保護構造では、ターミナルカバーの第２壁部は、突出側の端面が第１壁部側からターミナルガードへの嵌込方向へ向かうに従って遮蔽部側に向かって傾斜する。このため、このターミナル保護構造では、ターミナルカバーがターミナルガードに嵌め込まれやすくなる。また、このターミナル保護構造では、爪部が開口に係合された状態において、爪部の第２面が開口の第３面と接触する。このため、このターミナル保護構造では、ターミナルカバーがターミナルガードに嵌め込まれたときに、ターミナルカバーが安定して固定される。また、このターミナル保護構造では、ターミナルカバーがスリット部を有する。このため、このターミナル保護構造では、爪部を突出方向と反対の方向に引っ込めやすくなり、取り外し作業者はターミナルカバーをターミナルガードから容易に取り外すことができる。
【００１０】
第２発明に係るターミナル保護構造は、ターミナルガード及びターミナルカバーを備える。ターミナルガードは、圧縮機のケーシングからケーシングの外側に突出するターミナルの周囲に立設される。そして、このターミナルガードは、矩形の開口を有している。ターミナルカバーは、爪部、天壁部、囲い壁部、遮蔽部及びスリット部を有する。爪部は、ターミナルガードの内側から開口に係合可能である。囲い壁部は、天壁部の縁から下方に延びている。また、この囲い壁部には、外面に爪部が設けられている。そして、この囲い壁部は、爪部が開口に係合したときに開口に隙間が生じるように形成される。遮蔽部は、囲い壁部の内側に設けられている。そして、この遮蔽部は、爪部が開口に係合したときに爪部とターミナルとの間に位置し、開口の隙間からターミナルに至る直線経路を遮蔽する。スリット部は、爪部を挟むように爪部の近傍に配置されている。そして、このスリット部は、ターミナルガードへの嵌込方向に向かって延びる。また、爪部は、第１壁部及び第２壁部を有する。第１壁部は、ターミナルガードへの嵌込方向と直交する壁である。第２壁部は、第１壁部の幅方向の両端部からターミナルガードへの嵌込方向に向かって延びる２つの壁である。そして、この第２壁部は、突出側の端面が第１壁部側からターミナルガードへの嵌込方向へ向かうに従って遮蔽部側に向かって傾斜する。また、第１壁部は、ターミナルガードへの嵌込方向と直交する面である第２面を有する。また、開口は、爪部の侵入側の面である第３面がターミナルガードへの嵌込方向と直交する。そして、第２面は、爪部が開口に係合された状態において第３面と接触する。
【００１１】
このターミナル保護構造では、爪部が開口に係合したときに、遮蔽部が開口の隙間からターミナルに至る直線経路を遮蔽する。このため、このターミナル保護構造では、取り外し作業者が爪部の下から力を加えながらもターミナルを破損することなく無事に且つ容易にターミナルガードからターミナルカバーを取り外すことができる。また、このターミナル保護構造では、ターミナルカバーの爪部が、第１壁部を有し、ターミナルガードの内側から開口に係合する。このため、このターミナル保護構造では、取り外し作業者は、反嵌込方向（引き抜き方向）に力が加わるように第１壁部に取り外し用ジグを当てれば、従来よりも小さい力でターミナルカバーをターミナルガードから引き抜くことができる。また、このターミナル保護構造では、このターミナルカバーの爪部が、第２壁部を有する。このため、このターミナル保護構造では、取り外し作業者がターミナルカバーをターミナルガードから反嵌込方向（引き抜き方向）に引き抜くときにおいて、ターミナルガードへの嵌込方向および壁（第１壁部および第２壁部）の突出方向の両方向に直交する方向に取り外し用ジグがずれるのを防止することができる。したがって、このターミナル保護構造では、取り外し作業者はターミナルカバーをターミナルガードからより容易に引き抜くことができる。また、このターミナル保護構造では、ターミナルカバーの第２壁部は、突出側の端面が第１壁部側からターミナルガードへの嵌込方向へ向かうに従って遮蔽部側に向かって傾斜する。このため、このターミナル保護構造では、ターミナルカバーがターミナルガードに嵌め込まれやすくなる。また、このターミナル保護構造では、爪部が開口に係合された状態において、爪部の第２面が開口の第３面と接触する。このため、このターミナル保護構造では、ターミナルカバーがターミナルガードに嵌め込まれたときに、ターミナルカバーが安定して固定される。また、このターミナル保護構造では、ターミナルカバーがスリット部を有する。このため、このターミナル保護構造では、爪部を突出方向と反対の方向に引っ込めやすくなり、取り外し作業者はターミナルカバーをターミナルガードから容易に取り外すことができる。
【発明の効果】
【００１２】
第１発明に係るターミナル保護構造では、爪部が開口に係合したときに、遮蔽部が開口を遮蔽する。このため、このターミナル保護構造では、取り外し作業者がターミナルを破損することなくターミナルガードからターミナルカバーを取り外すことができる。また、このターミナル保護構造では、ターミナルカバーの爪部が、第１壁部を有し、ターミナルガードの内側から開口に係合する。このため、このターミナル保護構造では、取り外し作業者は、反嵌込方向（引き抜き方向）に力が加わるように第１壁部に取り外し用ジグを当てれば、従来よりも小さい力でターミナルカバーをターミナルガードから引き抜くことができる。また、このターミナル保護構造では、このターミナルカバーの爪部が、第２壁部を有する。このため、このターミナル保護構造では、取り外し作業者がターミナルカバーをターミナルガードから反嵌込方向（引き抜き方向）に引き抜くときにおいて、ターミナルガードへの嵌込方向および壁（第１壁部および第２壁部）の突出方向の両方向に直交する方向に取り外し用ジグがずれるのを防止することができる。したがって、このターミナル保護構造では、取り外し作業者はターミナルカバーをターミナルガードからより容易に引き抜くことができる。また、このターミナル保護構造では、ターミナルカバーの第２壁部は、突出側の端面が第１壁部側からターミナルガードへの嵌込方向へ向かうに従って遮蔽部側に向かって傾斜する。このため、このターミナル保護構造では、ターミナルカバーがターミナルガードに嵌め込まれやすくなる。また、このターミナル保護構造では、爪部が開口に係合された状態において、爪部の第２面が開口の第３面と接触する。このため、このターミナル保護構造では、ターミナルカバーがターミナルガードに嵌め込まれたときに、ターミナルカバーが安定して固定される。また、このターミナル保護構造では、ターミナルカバーがスリット部を有する。このため、このターミナル保護構造では、爪部を突出方向と反対の方向に引っ込めやすくなり、取り外し作業者はターミナルカバーをターミナルガードから容易に取り外すことができる。
【００１３】
第２発明に係るターミナル保護構造では、爪部が開口に係合したときに、遮蔽部が開口の隙間からターミナルに至る直線経路を遮蔽する。このため、このターミナル保護構造では、取り外し作業者が爪部の下から力を加えながらもターミナルを破損することなく無事に且つ容易にターミナルガードからターミナルカバーを取り外すことができる。また、このターミナル保護構造では、ターミナルカバーの爪部が、第１壁部を有し、ターミナルガードの内側から開口に係合する。このため、このターミナル保護構造では、取り外し作業者は、反嵌込方向（引き抜き方向）に力が加わるように第１壁部に取り外し用ジグを当てれば、従来よりも小さい力でターミナルカバーをターミナルガードから引き抜くことができる。また、このターミナル保護構造では、このターミナルカバーの爪部が、第２壁部を有する。このため、このターミナル保護構造では、取り外し作業者がターミナルカバーをターミナルガードから反嵌込方向（引き抜き方向）に引き抜くときにおいて、ターミナルガードへの嵌込方向および壁（第１壁部および第２壁部）の突出方向の両方向に直交する方向に取り外し用ジグがずれるのを防止することができる。したがって、このターミナル保護構造では、取り外し作業者はターミナルカバーをターミナルガードからより容易に引き抜くことができる。また、このターミナル保護構造では、ターミナルカバーの第２壁部は、突出側の端面が第１壁部側からターミナルガードへの嵌込方向へ向かうに従って遮蔽部側に向かって傾斜する。このため、このターミナル保護構造では、ターミナルカバーがターミナルガードに嵌め込まれやすくなる。また、このターミナル保護構造では、爪部が開口に係合された状態において、爪部の第２面が開口の第３面と接触する。このため、このターミナル保護構造では、ターミナルカバーがターミナルガードに嵌め込まれたときに、ターミナルカバーが安定して固定される。また、このターミナル保護構造では、ターミナルカバーがスリット部を有する。このため、このターミナル保護構造では、爪部を突出方向と反対の方向に引っ込めやすくなり、取り外し作業者はターミナルカバーをターミナルガードから容易に取り外すことができる。
【発明を実施するための最良の形態】
【００１４】
ここでは、図１〜図１５および図３５を用いて本発明の実施の形態に係る圧縮機１のターミナル保護体について説明する。
【００１５】
なお、ここで、図１は、本発明の実施の形態に係るターミナルガードの外観斜視図である。図２は、本発明の実施の形態に係るターミナルガードの上面図である。図３は、本発明の実施の形態に係るターミナルガードの側面図である。図４は、本発明の実施の形態に係るターミナルガードの正面図である。図５は、本発明の実施の形態に係るターミナルガードの背面図である。図６は、本発明の実施の形態に係るターミナルカバーの外観斜視図である。図７は、本発明の実施の形態に係るターミナルカバーの上面図である。図８は、本発明の実施の形態に係るターミナルカバーの側面図である。図９は、本発明の実施の形態に係るターミナルカバーの正面図である。図１０は、本発明の実施の形態に係るターミナルカバーの背面図である。図１１は、本発明の実施の形態に係るターミナルカバーの底面図である。図１２は、本発明の実施の形態に係るターミナルカバーの爪部のＡ−Ａ断面図である。図１３は、本発明の実施の形態に係るターミナルカバーの補強リブのＢ−Ｂ断面図である。図１４は、本発明の実施の形態に係るターミナルカバーの爪部がターミナルガードの開口に係合されたときの側面図である。図１５は、本発明の実施の形態に係るターミナルカバーの爪部がターミナルガードの開口に係合されたときのＣ−Ｃ断面図である。図３５は、本発明の実施の形態に係るターミナルカバーに採用される爪部の拡大図である。
【００１６】
〔ターミナル保護体〕
本発明の実施の形態に係る圧縮機１のターミナル保護体は、図１４および図１５に示されるように、ターミナルガード１０及びターミナルカバー４０から形成される。
【００１７】
以下、ターミナルガード１０及びターミナルカバー４０についてそれぞれ詳述する。
【００１８】
（１）ターミナルガード
ターミナルガード１０は、図１〜図５に示されるように、主に、ターミナル３（図１６参照）を挿通するための第３開口１１を有しケーシング２（図１６参照）の形状に沿った形状を呈する底部１２と、底部１２の縁から立設される第３囲い壁部２０とから形成される金属製のガードである。ここで、第３囲い壁部２０は、第３前壁部２１、第３後壁部２４、第３左壁部２２、および第３右壁部２３の４つの壁部を有している。そして、第３左壁部２２および第３右壁部２３には、それぞれ、ターミナルカバー４０の爪部（後述）を係合するための矩形の第４開口３１が設けられている。なお、ここで、第４開口３１を形成する面のうちターミナルカバー４０の爪部６１の侵入側の面である第５面Ｓｉは、ターミナルカバー４０の係合方向Ｄｊと直交する平面とされている。また、第３前壁部２１には、ターミナル３のターミナルピン４と接続されるリード線（図示せず）をターミナルガード１０の外側に導き出すための第３リード線通し口３２が設けられている。
【００１９】
（２）ターミナルカバー
ターミナルカバー４０は、図６〜図１１に示されるように、主に、略方形の天壁部４１と、天壁部４１の縁から下方に延びる第４囲い壁部５０とから形成される略升形の樹脂製カバーであって、先に説明したターミナルガード１０の内側に嵌め込まれる（図１４および図１５参照）。ここで、第４囲い壁部５０は、第４前壁部５１、第４後壁部５４、第４左壁部５２、および第４右壁部５３の４つの壁部を有している。なお、ここで、壁部とは、天壁部４１の天面Ｓａと直交する面を有する部分を指す。そして、第４左壁部５２および第４右壁部５３には、それぞれ、幅方向のほぼ中央に（ターミナルカバー４０全体で見た場合は奥行き方向の中央に）、高さ方向のほぼ中央から下端に向かって延びる爪部６１が設けられている。また、この爪部６１は、図６、図７、図９、図１０、および図１１に示されるように、第４左壁部５２および第４右壁部５３の外側に突出している。
【００２０】
そして、この爪部６１は、図３５に示されるように、ターミナルカバーのターミナルガードへの嵌込方向Ｄｊの反対側に嵌込方向Ｄｊと直交する壁である第１爪壁部６４と、第１爪壁部６４の幅方向の両端部から嵌込方向Ｄｊに向かって延びる２つの壁である第２爪壁部６５ａ，６５ｂとから構成されている。そして、この結果、この第２爪壁部６５ａ，６５ｂの間には凹部６６が形成されている（図１２参照）。この凹部６６の底面Ｓｂは、第４左壁部５２または第４右壁部５３の外表面と同一面上に存在し、第１爪壁部６４および第２爪壁部６５ａ，６５ｂの突出方向Ｄｗと直交している。
【００２１】
第１爪壁部６４は、嵌込方向Ｄｊに直交し嵌込方向Ｄｊの反対側に形成される面である第１１表面Ｓｆ１と、嵌込方向Ｄｊに向かうに従って爪部突出方向Ｄｐに向かって傾斜する第１２表面Ｓｆ２と、嵌込方向Ｄｊに向かうに従って爪部突出方向Ｄｐと反対の方向に向かって傾斜する第１３表面Ｓｆ３とを有している。
【００２２】
第２爪壁部６５ａ，６５ｂは、嵌込方向Ｄｊに向かうに従って爪部突出方向Ｄｐと反対の方向に向かって傾斜する第１４表面Ｓｆ４を有している。なお、この第１４表面Ｓｆ４は、第１爪壁部６４の第１３表面Ｓｆ３と連続している。
【００２３】
また、第４左壁部５２および第４右壁部５３には、爪部６１を挟むように爪部６１の近傍に配置されほぼ上端から嵌込方向Ｄｊに向かって下端まで延びるように形成されるスリット部６３がそれぞれ設けられる。そして、第４左壁部５２および第４右壁部５３のうちスリット部６３に挟まれる部分である開口遮蔽部分ＰＢ（図８参照）は、従来のターミナルカバー９５０（図２７および２９参照）の相当部分よりも下方（嵌込方向）に延長されており、取り外しジグをターミナル３に衝突させないための遮蔽板として機能する。なお、ここで、高さ方向は、爪部突出方向Ｄｐと直交し、嵌込方向Ｄｊと平行である。また、第４前壁部５１には、ターミナル３のターミナルピン４と接続されるリード線をターミナルカバー４０から導き出すための第４リード線通し口６２が設けられている。
【００２４】
また、このターミナルカバー４０には、図１１に示されるように、内面に補強リブ６７が設けられる。補強リブ６７は、ターミナルカバー４０の幅方向および奥行き方向に所定の間隔を空けて天壁部４１の裏面上に配列される円形リブ６７ａ（図１３参照）と、幅方向に平行であって複数の円形リブ６７ａの中心を通る第１仮想線上に設けられ複数の円形リブ６７ａを接合する複数の第１線状リブ６７ｂと、奥行き方向に平行であって複数の円形リブ６７ａの中心を通る第２仮想線上に設けられ複数の円形リブ６７ａを接合する複数の第２線状リブ６７ｃと、幅方向の両端に配される円形リブ６７ａから第１仮想線を含む面でターミナルカバー４０を切ったときの断面形状に沿って第４左壁部５２および第４右壁部５３の下端まで形成される第１曲折リブ６７ｄと、奥行き方向の両端に配される円形リブ６７ａから第２仮想線を含む面でターミナルカバー４０を切ったときの断面形状に沿って第４前壁部５１および第４後壁部５４の下端まで形成される第２曲折リブ６７ｅとから構成されている。なお、ここで、幅方向は、爪部突出方向Ｄｐと平行であり、嵌込方向Ｄｊと直交する。また、奥行き方向は、爪部突出方向Ｄｐと直交し、嵌込方向Ｄｊとも直交する。
【００２５】
そして、このターミナルカバー４０の爪部６１がターミナルガード１０の第４開口３１に係合されると、図１４および図１５に示されるようなターミナル保護体が形成される。このターミナル保護体では、図１４に示されるように、ターミナルガード１０の第４開口３１がターミナルカバー４０の第４左壁部５２または第４右壁部５３により完全に遮蔽される。
【００２６】
〔ターミナル保護体の特徴〕
（１）
本発明の実施の形態に係るターミナル保護体では、爪部６１が第４開口３１に係合したときに第４左壁部５２および第４右壁部５３のスリット部６３に挟まれる部分ＰＢが第４開口３１を遮蔽する。このため、取り外し作業者は、ターミナル３を破損することなくこのターミナルカバー４０を無事に取り外すことができる。
【００２７】
（２）
本発明の実施の形態に係るターミナルカバー４０では、爪部６１が、第１爪壁部６４と第２爪壁部６５ａ，６５ｂとから形成されており、第２爪壁部６５ａ，６５ｂの間には凹部６６が存在している。このため、このターミナルカバー４０には、取り外し作業者が取り外しジグを凹部６６に挿入するように誘導するという効果が生じる。また、凹部６６の存在により、取り外し作業者は、爪部６１を爪部６１の突出方向と反対の方向に押し込めやすくなる。また、第１爪壁部６４の存在により、取り外し作業者は、ターミナルカバー４０を反嵌込方向に持ち上げやすくなる。また、第２爪壁部６５ａ，６５ｂの存在により、取り外しジグがターミナルカバー４０の奥行き方向にぶれることがない。
【００２８】
（３）
本発明の実施の形態に係るターミナルカバー４０では、第２爪壁部６５ａ，６５ｂに第１４表面Ｓｆ４が形成されている。このため、取り付け作業者は、ターミナルカバー４０をターミナルガード１０に嵌め込みやすくなる。
【００２９】
（４）
本発明の実施の形態に係るターミナルカバー４０には、スリット部６３が設けられている。このため、取り外し作業者は、爪部６１を突出方向と反対の方向に引っ込めやすくなり、ターミナルカバー４０をターミナルガード１０から容易に取り外すことができる。
【００３０】
（５）
本発明の実施の形態に係るターミナルガード１０では、第４開口３１を形成する面のうちターミナルカバー４０の爪部６１の侵入側の面（第５面Ｓｉ）が、平面であり、嵌込方向Ｄｊと直交する関係にある。そして、本発明の実施の形態に係るターミナルカバー４０では、爪部６１の嵌込方向Ｄｊの反対側に嵌込方向Ｄｊに直交する面（第１１表面Ｓｆ１）が設けられている。このため、ターミナルカバー４０がターミナルガード１０に嵌め込まれると、第５面Ｓｉと第１１表面Ｓｆ１とが面接触することになる。このため、本実施の形態に係るターミナル保護体では、ターミナルカバー４０がターミナルガード１０に安定して係合固定される。
【００３１】
〔変形例〕
（Ａ）
先の実施の形態に係るターミナルカバー４０では、爪部６１が開口遮蔽部分ＰＢ上に形成されていたが、ターミナルカバーを図１７〜図２１に示されるように設計してターミナルガード１０の第４開口３１を遮蔽するようにしてもよい。つまり、ターミナルカバー１４０の内部に、第４左壁部５２および第４右壁部５３に平行な左遮蔽壁１５２および右遮蔽壁１５３を設けるということである。なお、かかる場合、第４左壁部５２および第４右壁部５３のうちスリット部６３に挟まれる部分が従来のターミナルカバー９５０（図２７および２９参照）の相当部分と同一の長さであってよい。また、かかる場合、凹部６６がない爪部１６１を採用してもよい。このようにすれば、取り外し作業者は、従来の取り外し方法を使用しながらも、ターミナル３を破損することなくこのターミナルカバー４０を無事に取り外すことができる。
【００３２】
（Ｂ）
先の実施の形態に係るターミナルカバー４０では、凹部６６の底面Ｓｂが第４左壁部５２または第４右壁部５３の外表面と同一面上に存在していたが、凹部６６の底面Ｓｂは、第４左壁部５２または第４右壁部５３の外表面と同一面上に存在しなくてもよい。例えば、凹部６６の底面Ｓｂが第４左壁部５２または第４右壁部５３の外表面よりも爪部突出側に位置していてもよい。
【産業上の利用可能性】
【００３３】
本発明に係るターミナル保護体は、取り外し作業者がターミナルを破損することなく無事にターミナルガードからターミナルカバーを取り外すことができるようにすることができるという特徴を有し、圧縮機のターミナルの保護カバーとして有用である。
【図面の簡単な説明】
【００３４】
【図１】本発明の実施の形態に係るターミナルガードの外観斜視図である。
【図２】本発明の実施の形態に係るターミナルガードの上面図である。
【図３】本発明の実施の形態に係るターミナルガードの右側面図である。
【図４】本発明の実施の形態に係るターミナルガードの正面図である。
【図５】本発明の実施の形態に係るターミナルガードの背面図である。
【図６】本発明の実施の形態に係るターミナルカバーの外観斜視図である。
【図７】本発明の実施の形態に係るターミナルカバーの上面図である。
【図８】本発明の実施の形態に係るターミナルカバーの右側面図である。
【図９】本発明の実施の形態に係るターミナルカバーの正面図である。
【図１０】本発明の実施の形態に係るターミナルカバーの背面図である。
【図１１】本発明の実施の形態に係るターミナルカバーの裏面図である。
【図１２】本発明の実施の形態に係るターミナルカバーの爪部のＡ−Ａ断面図である。
【図１３】本発明の実施の形態に係るターミナルカバーの補強リブのＢ−Ｂ断面図である。
【図１４】本発明の実施の形態に係るターミナルカバーの爪部が本発明の実施の形態に係るターミナルガードの開口に係合されたときの右側面図である。
【図１５】本発明の実施の形態に係るターミナルカバーの爪部が本発明の実施の形態に係るターミナルガードの開口に係合されたときのＣ−Ｃ断面図である。
【図１６】圧縮機から突出するターミナルの外観斜視図である。
【図１７】変形例（Ａ）に係るターミナルカバーの上面図である。
【図１８】変形例（Ａ）に係るターミナルカバーの右側面図である。
【図１９】変形例（Ａ）に係るターミナルカバーの正面図である。
【図２０】変形例（Ａ）に係るターミナルカバーの背面図である。
【図２１】変形例（Ａ）に係るターミナルカバーの裏面図である。
【図２２】従来のターミナルガードの外観斜視図である。
【図２３】従来のターミナルガードの上面図である。
【図２４】従来のターミナルガードの右側面図である。
【図２５】従来のターミナルガードの正面図である。
【図２６】従来のターミナルガードの背面図である。
【図２７】従来のターミナルカバーの外観斜視図である。
【図２８】従来のターミナルカバーの上面図である。
【図２９】従来のターミナルカバーの右側面図である。
【図３０】従来のターミナルカバーの正面図である。
【図３１】従来のターミナルカバーの背面図である。
【図３２】従来のターミナルカバーの裏面図である。
【図３３】従来のターミナルカバーの爪部が従来のターミナルガードの開口に係合されたときの右側面図である。
【図３４】従来のターミナルカバーの爪部が従来のターミナルガードの開口に係合されたときのＤ−Ｄ断面図である。
【図３５】本発明の実施の形態に係るターミナルカバーに採用される爪部の拡大図である。なお、本図において、（ａ）は爪部の正面図であり、（ｂ）は爪部の側面図である。
【符号の説明】
【００３５】
１      圧縮機
２      ケーシング
３      ターミナル
１０      ターミナルガード
３１      第４開口（開口）
４１      天壁部
５０      囲い壁部
６１，１６１      爪部
６３      スリット部
６４      第１爪壁部
６５ａ，６５ｂ      第２爪壁部
１４０      ターミナルカバー
１５２      左遮蔽壁（遮蔽部）
１５３      右遮蔽壁（遮蔽部）
Ｄｊ        ターミナルカバーのターミナルガードへの嵌込方向
Ｄｗ        壁部の突出方向
Ｓｂ        凹部の底面（第１面）
Ｓｆ１      第１１表面（第２面）
Ｓｆ４      第１４表面（爪部の突出側の端面）
Ｓｉ      第５面（第３面）
Ｗ        隙間
【図１】
0003995013.tif 000002
【図２】
0003995013.tif 000003
【図３】
0003995013.tif 000004
【図４】
0003995013.tif 000005
【図５】
0003995013.tif 000006
【図６】
0003995013.tif 000007
【図７】
0003995013.tif 000008
【図８】
0003995013.tif 000009
【図９】
0003995013.tif 000010
【図１０】
0003995013.tif 000011
【図１１】
0003995013.tif 000012
【図１２】
0003995013.tif 000013
【図１３】
0003995013.tif 000014
【図１４】
0003995013.tif 000015
【図１５】
0003995013.tif 000016
【図１６】
0003995013.tif 000017
【図１７】
0003995013.tif 000018
【図１８】
0003995013.tif 000019
【図１９】
0003995013.tif 000020
【図２０】
0003995013.tif 000021
【図２１】
0003995013.tif 000022
【図２２】
0003995013.tif 000023
【図２３】
0003995013.tif 000024
【図２４】
0003995013.tif 000025
【図２５】
0003995013.tif 000026
【図２６】
0003995013.tif 000027
【図２７】
0003995013.tif 000028
【図２８】
0003995013.tif 000029
【図２９】
0003995013.tif 000030
【図３０】
0003995013.tif 000031
【図３１】
0003995013.tif 000032
【図３２】
0003995013.tif 000033
【図３３】
0003995013.tif 000034
【図３４】
0003995013.tif 000035
【図３５】
0003995013.tif 000036